(57)【要約】【課題】  本発明の目的は、特殊な治具を用いずに、部品を仮保持することができるナビゲーション装置の技術を提供することにある。【解決手段】  本発明に係るナビゲーション装置は、主面と、主面に垂直に接する第一の側面と、主面に垂直に接し第一の側面に対面する第二の側面と、を備えるコの字型の筐体と、主面上に積み重ねられ、筐体にねじ止めされる一つ又は複数の内部部材と、を備え、第一の側面には、第一の保持部材が設けられ、第二の側面には、第二の保持部材が設けられ、内部部材の少なくとも一つは、第一の保持部材により取り付け位置を特定される第三の保持部材と、第二の保持部材により取り付け位置を特定される第四の保持部材と、を備え、第一の爪部の切り欠きと、第三の保持部材の爪部の切り欠きとが互いにかみ合うことで筐体と内部部材との位置が決定される、ことを特徴とする。【選択図】図４
2012052571.tif 000002
【特許請求の範囲】
【請求項１】
主面と、前記主面に垂直に接する第一の側面と、前記主面に垂直に接し前記第一の側面に対面する第二の側面と、を備えるコの字型の筐体と、
前記コの字型の筐体の前記主面上に積み重ねられ、前記第一の側面および前記第二の側面とを基準にねじ止めされる一つ又は複数の内部部材と、を備え、
前記第一の側面には、前記内部部材の少なくとも一つを取り付けるための第一の保持部材が設けられ、
前記第二の側面には、前記内部部材の少なくとも一つを取り付けるための第二の保持部材が設けられ、
前記内部部材の少なくとも一つは、
前記第一の保持部材により取り付け位置を特定される第三の保持部材と、
前記第二の保持部材により取り付け位置を特定される第四の保持部材と、
を備え、
前記第一の保持部材は、先端に切り欠きが設けられた第一の爪部を備え、
前記第三の保持部材は、先端に切り欠きが設けられた爪部を備え、
前記第一の爪部の切り欠きと、前記第三の保持部材の前記爪部の切り欠きとが互いにかみ合うことで前記筐体と前記内部部材との位置が決定される、
ことを特徴とするナビゲーション装置。
【請求項２】
請求項１に記載のナビゲーション装置であって、
前記第二の保持部材は、前記内部部材を取り付けるための切り込み部であり、
前記第四の保持部材は、前記第二の保持部材の切り込み部に差し込まれる爪部である、
ことを特徴とするナビゲーション装置。
【請求項３】
請求項１または２に記載のナビゲーション装置であって、
前記第一の爪部は、前記第一の側面に垂直に突出するよう設けられており、
前記第三の保持部材の前記爪部は、前記第一の側面に略平行な面を備え、
前記第一の爪部と前記第三の保持部材の前記爪部とは、合い欠き状に交差するよう設けられている、
ことを特徴とするナビゲーション装置。
【請求項４】
請求項１〜３のいずれか一項に記載のナビゲーション装置であって、
前記第一の爪部の切り欠きと、前記第三の保持部材の前記爪部の切り欠きとは、前記内部部材が前記主面の方向に移動すると互いにかみ合う方向に設けられている、
ことを特徴とするナビゲーション装置。
【請求項５】
請求項１〜４のいずれか一項に記載のナビゲーション装置であって、
前記第二の保持部材の切り込み部は、前記主面と略平行に設けられており、
前記第四の保持部材である爪部には、前記内部部材が前記主面の方向に移動すると前記第二の保持部材の切り込み部に差し込まれるようガイド部が設けられている、
ことを特徴とするナビゲーション装置。
【請求項６】
ナビゲーション装置の組立構造であって、
前記ナビゲーション装置は、
主面と、前記主面に垂直に接する第一の側面と、前記主面に垂直に接し前記第一の側面に対面する第二の側面と、を備えるコの字型の筐体と、
前記コの字型の筐体の前記主面上に積み重ねられ、前記第一の側面および前記第二の側面とを基準にねじ止めされる一つ又は複数の内部部材と、を備え、
前記第一の側面には、前記内部部材の少なくとも一つを取り付けるための第一の保持部材が設けられ、
前記第二の側面には、前記内部部材の少なくとも一つを取り付けるための第二の保持部材が設けられ、
前記内部部材の少なくとも一つは、
前記第一の保持部材により取り付け位置を特定される第三の保持部材と、
前記第二の保持部材により取り付け位置を特定される第四の保持部材と、
を備え、
前記第一の保持部材は、先端に切り欠きが設けられた第一の爪部を備え、
前記第三の保持部材は、先端に切り欠きが設けられた爪部を備え、
前記第一の爪部の切り欠きと、前記第三の保持部材の前記爪部の切り欠きとが互いにかみ合うことで前記筐体と前記内部部材との位置が決定される、
ことを特徴とするナビゲーション装置の組立構造。
【請求項７】
請求項６に記載のナビゲーション装置の組立構造であって、
前記第二の保持部材は、前記内部部材を取り付けるための切り込み部であり、
前記第四の保持部材は、前記第二の保持部材の切り込み部に差し込まれる爪部である、
ことを特徴とするナビゲーション装置の組立構造。
【請求項８】
請求項６または７に記載のナビゲーション装置の組立構造であって、
前記第一の爪部は、前記第一の側面に垂直に突出するよう設けられており、
前記第三の保持部材の前記爪部は、前記第一の側面に略平行な面を備え、
前記第一の爪部と前記第三の保持部材の前記爪部とは、合い欠き状に交差するよう設けられている、
ことを特徴とするナビゲーション装置の組立構造。
【請求項９】
請求項６〜８のいずれか一項に記載のナビゲーション装置の組立構造であって、
前記第一の爪部の切り欠きと、前記第三の保持部材の前記爪部の切り欠きとは、前記内部部材が前記主面の方向に移動すると互いにかみ合う方向に設けられている、
ことを特徴とするナビゲーション装置の組立構造。
【請求項１０】
請求項６〜９のいずれか一項に記載のナビゲーション装置の組立構造であって、
前記第二の保持部材の切り込み部は、前記主面と略平行に設けられており、
前記第四の保持部材である爪部には、前記内部部材が前記主面の方向に移動すると前記第二の保持部材の切り込み部に差し込まれるようガイド部が設けられている、
ことを特徴とするナビゲーション装置の組立構造。
【発明の詳細な説明】
【技術分野】
【０００１】
本発明は、ナビゲーション装置の技術に関するものである。
【背景技術】
【０００２】
従来、ナビゲーション装置は、電子部品や機械部品を、骨格を形成する筐体にねじ等により固定して組みつけて構成される。特許文献１には、このようなナビゲーション装置についての技術が記載されている。
【先行技術文献】
【特許文献】
【０００３】
【特許文献１】特開平０９−０７９４８１号公報
【発明の概要】
【発明が解決しようとする課題】
【０００４】
しかし、上記のようなナビゲーション装置では、製造の際に、部品ごとに特殊な治具を用いて組み付ける必要がある場合が多かった。すなわち、各部品を組み付ける際に、部品ごとにねじ止めを行うために、ねじ止め作業のために部品を仮保持する特殊な治具が必要になることが多く、作業工程が複雑であった。
【０００５】
本発明の目的は、特殊な治具を用いずに、部品を仮保持することができるナビゲーション装置の技術を提供することにある。
【課題を解決するための手段】
【０００６】
上記課題を解決すべく、本発明に係るナビゲーション装置は、主面と、前記主面に垂直に接する第一の側面と、前記主面に垂直に接し前記第一の側面に対面する第二の側面と、を備えるコの字型の筐体と、前記コの字型の筐体の前記主面上に積み重ねられ、前記第一の側面および前記第二の側面とを基準にねじ止めされる一つ又は複数の内部部材と、を備え、前記第一の側面には、前記内部部材の少なくとも一つを取り付けるための第一の保持部材が設けられ、前記第二の側面には、前記内部部材の少なくとも一つを取り付けるための第二の保持部材が設けられ、前記内部部材の少なくとも一つは、前記第一の保持部材により取り付け位置を特定される第三の保持部材と、前記第二の保持部材により取り付け位置を特定される第四の保持部材と、を備え、前記第一の保持部材は、先端に切り欠きが設けられた第一の爪部を備え、前記第三の保持部材は、先端に切り欠きが設けられた爪部を備え、前記第一の爪部の切り欠きと、前記第三の保持部材の前記爪部の切り欠きとが互いにかみ合うことで前記筐体と前記内部部材との位置が決定される、ことを特徴とする。
【０００７】
また、本発明に係るナビゲーション装置の組立構造では、前記ナビゲーション装置は、主面と、前記主面に垂直に接する第一の側面と、前記主面に垂直に接し前記第一の側面に対面する第二の側面と、を備えるコの字型の筐体と、前記コの字型の筐体の前記主面上に積み重ねられ、前記第一の側面および前記第二の側面とを基準にねじ止めされる一つ又は複数の内部部材と、を備え、前記第一の側面には、前記内部部材の少なくとも一つを取り付けるための第一の保持部材が設けられ、前記第二の側面には、前記内部部材の少なくとも一つを取り付けるための第二の保持部材が設けられ、前記内部部材の少なくとも一つは、前記第一の保持部材により取り付け位置を特定される第三の保持部材と、前記第二の保持部材により取り付け位置を特定される第四の保持部材と、を備え、前記第一の保持部材は、先端に切り欠きが設けられた第一の爪部を備え、前記第三の保持部材は、先端に切り欠きが設けられた爪部を備え、前記第一の爪部の切り欠きと、前記第三の保持部材の前記爪部の切り欠きとが互いにかみ合うことで前記筐体と前記内部部材との位置が決定される、ことを特徴とする。
【発明の効果】
【０００８】
本願発明によれば、特殊な治具を用いずに、部品を仮保持することができるナビゲーション装置の技術を提供することが可能となる。
【図面の簡単な説明】
【０００９】
【図１】図１は、ナビゲーション装置の組立工程を示す図である。
【図２】図２は、ナビゲーション装置の組立工程を示す図である。
【図３】図３は、ナビゲーション装置の筐体両側面に部品を組み付ける工程を示す図である。
【図４】図４は、ナビゲーション装置の筐体両側面に部品を組み付けた状態を示す図である。
【図５】図５は、ナビゲーション装置の筐体両側面に部品を組み付けた状態を示す図である。
【図６】図６は、筐体の右側面内壁に部品が組み付けられる詳細を示す図である。
【図７】図７は、筐体の左側面内壁に部品が組み付けられる詳細を示す図である。
【図８】図８は、筐体を組みつける状態の断面を示す図である。
【発明を実施するための形態】
【００１０】
以下に、本発明の第一の実施形態を適用したナビゲーション装置について、図面を参照して説明する。
【００１１】
図１、図２に、ナビゲーション装置１の組立工程の概要の図を示す。なお、ナビゲーション装置１は、地図情報を表示して、ナビゲーション装置１の現在地を示す地点と、設定された目的地までの経路を誘導する情報と、を示すことが可能ないわゆるナビゲーション装置である。なお、以降の記載において、ナビゲーション装置１の通常の使用状態を基準として、底面方向をＺ方向、裏面方向をＹ方向、左面方向をＸ方向とする３軸方向で図上の方向を表す。
【００１２】
ナビゲーション装置１は、コの字型をした筐体の骨格となる金属筐体１００と、金属筐体１００の天面（図１（ａ）、（ｂ）および図２（ａ）においては、図の下方向の面）に取り付けられる第一の内部ユニット２００と、金属筐体１００の両側面（図１（ｂ）における図の右下方向の面および左上方向の面）に取り付けられる第二の内部ユニット３００と、金属筐体１００の底面（図２（ａ）においては、図の上方向の面）を構成する底面ユニット４００と、を備えている。
【００１３】
また、図２（ｂ）に示すように、ナビゲーション装置１は、金属筐体１００の天面および両側面の外側から、上記第一の内部ユニット２００、第二の内部ユニット３００、底面ユニット４００がねじ止めされる。
【００１４】
なお、本実施形態においては、第一の内部ユニット２００は、ＣＤ（Compact Disk）やＤＶＤ（Digital Versatile Disk）等の光磁気ディスクや、各種メモリーカード等の記憶媒体の入出力インターフェースを備えるユニットである。また、第二の内部ユニット３００は、オーディオヴィジュアル機能を実現する処理系を備える電子基板であるオーディオ基板と、ナビゲーション機能を実現する処理系を備える電子基板であるナビ基板と、を含む各種基板が組み付けられた演算処理部ユニットである。また、底面ユニット４００は、金属筐体１００の底面を構成する板金を含み、金属筐体１００の前面（図１（ａ）における左下方向の面）に取り付けられる図示しないディスプレイ部材をチルト動作させるためのアーム部材や、当該アーム部材をスライド移動させるための動力となるモーターやギヤ等を備えるユニットである。
【００１５】
図１（ａ）に示すように、まず、第一の内部ユニット２００は、金属筐体１００の天面（図１（ａ）の下方向の面）に接点を持つように取り付けられて仮保持される。すなわち、第一の内部ユニット２００は、ナビゲーション装置１００の通常状態においては、金属筐体１００の天面から吊り下げられるように仮保持されるといえる。そして、図１（ｂ）に示すように、第一の内部ユニット２００の上（図１（ｂ）の上方向）から、第二の内部ユニットが、積み重ねられるように位置決めされ、金属筐体１００の両側面（図１（ｂ）の図の右下方向の面と、左上方向の面）に接点を持つように取り付けられて仮保持される。そして、さらに、第二の内部ユニット３００の上（図２（ａ）の上方向）から、底面ユニット４００が、積み重ねられるように位置決めされ、金属筐体１００の両側面（図２（ａ）の図の右下方向の面と、左上方向の面）に接点を持つように取り付けられて仮保持される。
【００１６】
図２（ｂ）に示すように、金属筐体１００に第一の内部ユニット２００と、第二の内部ユニット３００と、底面ユニット４００と、が取り付けられて仮保持された状態において、各ユニットは金属筐体１００の外部からねじ止めされ、固定される。なお、金属筐体１００の天面（図２（ｂ）における図の上方向の面）にねじ込まれる天面側ねじ群１１０Ｔは、金属筐体１００の天面に設けられた孔を貫通して、天面の内側に仮保持された第一の内部ユニット２００の所定のねじ孔にはまりこむ。これにより、第一の内部ユニット２００は、金属筐体１００へ固定され組み付けがなされる。また、金属筐体１００の右側面（図２（ｂ）における図の右下方向の面）にねじ込まれる右側面側ねじ群１１０Ｒは、金属筐体１００の右側面に設けられた孔を貫通して、右側面の内側に仮保持された第二の内部ユニット３００および底面ユニット４００の所定のねじ孔にはまりこむ。同様に、左側面（図２（ｂ）における図の左上方向の面）にねじ込まれる左側面側ねじ群１１０Ｌは、筐体１００の左側面に設けられた孔を貫通して、左側面の内側に仮保持された第二の内部ユニット３００および底面ユニット４００の所定のねじ孔にはまりこむ。これにより、第二の内部ユニット３００および底面ユニット４００は、金属筐体１００へ固定され組みつけがなされる。
【００１７】
図３は、図１（ｂ）に示す金属筐体１００に第二の内部ユニット３００のブラケット（支持部材）３１０を組み付ける工程における、金属筐体１００と、ブラケット３１０と、の詳細な斜視図である。なお、当該工程に従うと、金属筐体１００には、第一の内部ユニット２００が先に取り付けられている状態であるが、図３〜図５、図８においては、説明の都合上、第一の内部ユニット２００についての図を省略する。また、ブラケット３１０は、第二の内部ユニットである各種電子基板を取り付けられ、金属筐体１００に組みつけられるものであるが、各種電子基板についても、図３〜図５、図８においては、説明の都合上、図示を省略する。
【００１８】
図４は、金属筐体１００に、ブラケット３１０が取り付けられた状態を、金属筐体１００の左側面側からみた図である。金属筐体１００の右側面の内側面１２０Ｒに示すように、ブラケット３１０に設けられたブラケット側二股爪部３１１Ｒと、金属筐体１００の右側面の内側面１２０Ｒの一部に設けられた筐体側二股爪部１２１Ｒとが、互いにかみ合っている。
【００１９】
図５は、金属筐体１００に、ブラケット３１０が取り付けられた状態を、金属筐体１００の右側面側からみた図である。金属筐体１００の左側面の内側面１２０Ｌに示すように、ブラケット３１０に設けられたブラケット側挿入板部３１１Ｌが、金属筐体１００の左側面の内側面１２０Ｌの一部に設けられた切込み部である筐体側スリット部１２１Ｌに差し込まれ、取り付けられている。
【００２０】
図６は、金属筐体１００の右側面の内側面１２０Ｒに示された、ブラケット３１０に設けられたブラケット側二股爪部３１１Ｒと、金属筐体１００の右側面の内側面１２０Ｒの一部に設けられた筐体側二股爪部１２１Ｒと、についての、それぞれの拡大斜視図を示す図である。
【００２１】
筐体側二股爪部１２１Ｒは、図６に示すように、Ｘ方向（図の左下方向）へ突出する板状の爪部であり、そのＺ方向（図の下方向）の先端には、切り欠き１２２が設けられている。すなわち、筐体側二股爪部１２１Ｒは、金属筐体１００の側面から垂直に突出するように設けられた平面部を備える爪部であるといえる。切り欠き１２２は、ブラケット側二股爪部３１１Ｒに設けられた対応する切り欠き３１３がはまり込んで、かみ合うための溝である。切り欠き１２２のＺ方向の先端は、扇状に切り欠きが広がっており、差し込みガイド部１２３が形成されている。差し込みガイド部１２３により、ブラケット３１０の組みつけの際に、多少の前後左右の位置ズレが発生した場合であっても、位置が矯正されて、正しい組み付け位置に組みつけられる。切り欠き１２２の幅は、仮保持の効果を考慮すると、望ましくは、ブラケット側二股爪部３１１Ｒの板厚と略同じであることが望ましい。板厚と略同じであれば、ブラケット３１０と金属筐体１００とは、適切な保持力で仮保持され、組み付け精度が高くなるためである。また、本実施形態においては、筐体側二股爪部１２１Ｒが設けられた金属筐体１００には、切り出し孔１２４が設けられている。切り出し孔１２４は、筐体側二股爪部１２１Ｒを形成する際に、金属筐体１００に切り込みを入れて筐体側爪部１２１Ｒを引き起こすように折り曲げて突出させた結果生じる孔である。
【００２２】
ブラケット側二股爪部３１１Ｒは、図６に示すように、金属筐体１００の天面方向（図の上方向）へ突出する板状の爪部であり、その天面方向（図の上方向）の先端には、切り欠き３１３が設けられている。すなわち、ブラケット側二股爪部３１１Ｒは、取り付けられる金属筐体１００の側面と並行な面を備える板状の爪部である。切り欠き３１３は、筐体側二股爪部１２１Ｒに設けられた対応する切り欠き１２２がはまり込んで、かみ合うための溝である。切り欠き３１３の、筐体天面方向に向かう先端は、扇状に切り欠きが広がっており、差し込みガイド部３１４が形成されている。差し込みガイド部３１４により、ブラケット３１０の組みつけの際に、多少の前後左右の位置ズレが発生した場合であっても、位置が矯正されて、正しい組み付け位置に組みつけられる。切り欠き３１３の幅は、仮保持の効果を考慮すると、望ましくは、筐体側二股爪部１２１Ｒの板厚と略同じであることが望ましい。板厚と略同じであれば、ブラケット３１０と金属筐体１００とは、適切な保持力で仮保持され、組み付け精度が高くなるためである。また、ブラケット側二股爪部３１１Ｒの、筐体天面方向に向かう先端には、筐体内部側へ折り曲げられたガイド部３１２が設けられている。当該ガイド部３１２により、金属筐体１００へブラケット３１０を組み付ける際に、筐体の左右方向（図１のＸ軸方向）の位置ズレが発生した場合であっても、位置が矯正されて、正しい組み付け位置に組みつけやすくなる。
【００２３】
筐体側二股爪部１２１Ｒと、ブラケット側二股爪部３１１Ｒとは、図６に示すように、切り欠き１２２と切り欠き３１３とが互いにはまり込むと、互いの平面部が合い欠き状に接合される。これにより、筐体側二股爪部１２１Ｒと、ブラケット側二股爪部３１１Ｒとの前後左右方向の移動が制限されることとなり、両者の位置が固定される。
【００２４】
図７は、金属筐体１００の左側面の内側面１２０Ｌに示された、ブラケット３１０に設けられたブラケット側挿入板部３１１Ｌと、金属筐体１００の左側面の内側面１２０Ｌの一部に設けられた筐体側スリット部１２１Ｌと、についての、それぞれの拡大斜視図を示す図である。
【００２５】
筐体側スリット部１２１Ｌは、図７に示すように、金属筐体１００の左側面の内側面の一部１３１が、金属筐体１００の左側面の内側面から図の右下方向へ突出することで形成される間隙をスリットとするものである。突出した内側面の一部１３１のうち、金属筐体１００の左側面の内側面と略平行を成す平面部には、ねじ孔１３２が設けられている。
【００２６】
ブラケット側挿入板部３１１Ｌは、図７に示すように、金属筐体１００の天面方向（図の上方向）へ突出する板状の爪部であり、その天面方向（図の上方向）の先端には、金属筐体１００の外側の方向に鈍角に折り曲げられた折り曲げ部３２０が設けられている。折り曲げ部３２０の折り曲げの周辺には、ねじ孔３２１が設けられている。折り曲げ部３２０は、筐体側スリット部１２１Ｌにはまり込んで、かみ合う。ブラケット側のねじ孔３２１と、金属筐体側のねじ孔１３２とは、取り付けられると略同一の位置に開口を備えるものであり、金属筐体１００の外側からのねじにより、共締めされる。なお、折り曲げ部３２０は、筐体側スリット部１２１Ｌにはまり込む際に、ブラケット側挿入板部３１１Ｌ全体が撓むために筐体外側へ付勢され、筐体側スリット部１２１Ｌに容易にはまり込む。すなわち、ガイドの役目を果たしているといえる。
【００２７】
図８は、金属筐体１００とブラケット３１０と、を金属筐体１００の正面から（図１のＹ方向に）見た図である。金属筐体１００は、それ単体では、左右方向への引っ張り力１４０Ｒ、１４０Ｌがかかると、比較的容易に変形してしまう。金属筐体１００は、コの字型をしているためである。金属筐体１００にブラケット３１０を組み付けると、ブラケット３１０は金属筐体１００の左右の側面に対して、前後左右の動きが固定されて取り付けられる。したがって、金属筐体１００は、ブラケット３１０を組みつけられることで、左右方向への引っ張り力１４０Ｒ、１４０Ｌに対する変形を抑えることが可能になるといえる。また、そのように取り付けられることで、ブラケット３１０は強い力で金属筐体１００に位置決めされ、取り付けられることになるため、後の工程でねじを組みつけられるまで、十分な保持力で仮保持される。
【００２８】
以上が、本願発明にかかる第一の実施形態である。上記実施形態によれば、ナビゲーション装置１は、特殊な治具を用いずに、部品を仮保持することができる。そのため、ナビゲーション装置の組立精度を高めつつ、組立にかかる作業量を減らすことができる。また、組立にミスがあった場合にも、ミスを修正して再度組み立てることが容易にできる。ねじ止めを最後に行うものであるから、それまでの仮保持の状態においては、ねじを取り外ししなくとも各内部ユニットの再組み付けが可能となるからである。
【００２９】
また、上記実施形態によれば、金属筐体１００の右側面側で、ブラケット側二股爪部３１１Ｒと、金属筐体１００の右側面の内側面１２０Ｒの一部に設けられた筐体側二股爪部１２１Ｒとが、かみ合う。加えて、金属筐体１００の左側面側で、ブラケット側挿入板部３１１Ｌが、金属筐体１００の左側面の内側面１２０Ｌの一部に設けられた筐体側スリット部１２１Ｌとが、かみ合う。これにより、金属筐体１００と第二の内部ユニット３００との左右方向および上下方向の位置決めがなされ、仮保持が可能となる。
【００３０】
本発明は、上記の実施形態に制限されない。上記実施形態は、本発明の技術的思想の範囲内で様々な変形が可能である。例えば、上記実施形態においては、金属筐体１００はコの字型をしており、天面、左右側面を備えるものであるが、これに限られず、例えば左右の側面と底面を備えるものであってもよいし、前面、裏面および左右の側面を備えるものであってもよい。このようにすることで、様々な形状の骨格を備えるナビゲーション装置についても、仮保持を行ってねじ止め工程を下流工程に集約することができるようになる。
【００３１】
また、例えば、上記実施形態においては、金属筐体１００の左側面と右側面とで、異なる機構によりブラケット３１０を保持しているが、これに限られず、両側面がいずれかの機構によりブラケット３１０を保持するようにしてもよい。このようにすることで、金属筐体の内部の部品の配置や重量バランス等を考慮した柔軟な構造設計を行うことができるようになる。
【００３２】
以上、本発明について、実施形態を中心に説明した。なお、上記の実施形態では、本発明をナビゲーション装置に適用した例について説明したが、本発明はナビゲーション装置に限らず、組立構造を備える装置全般に適用することができる。
【符号の説明】
【００３３】
１・・・ナビゲーション装置、１００・・・筐体、１１０Ｒ・・・右側ねじ群、１１０Ｌ・・・左側ねじ群、１１０Ｔ・・・天面側ねじ群、１２０Ｒ・・・右側面の内側面、１２０Ｌ・・・左側面の内側面、１２１Ｒ・・・筐体側二股爪部、１２１Ｌ・・・筐体側スリット部、１２２・・・切り欠き、１２３・・・差し込みガイド部、１２４・・・切り出し孔、１３１・・・内側面の一部、１３２・・・ねじ孔、１４０Ｒ、１４０Ｌ・・・左右方向への引っ張り力、２００・・・第一の内部ユニット、３００・・・第二の内部ユニット、３１０・・・ブラケット、３１１Ｒ・・・ブラケット側二股爪部、３１１Ｌ・・・ブラケット側挿入板部、３１２・・・ガイド部、３１３・・・切り欠き、３１４・・・差し込みガイド部、３２０・・・折り曲げ部、３２１・・・ねじ孔、４００・・・底面ユニット
【図１】
2012052571.tif 000003
【図２】
2012052571.tif 000004
【図３】
2012052571.tif 000005
【図４】
2012052571.tif 000006
【図５】
2012052571.tif 000007
【図６】
2012052571.tif 000008
【図７】
2012052571.tif 000009
【図８】
2012052571.tif 000010